(57)【要約】【課題】処置具の挿脱が繰り返されてもスリットから発生する亀裂が広がらず、しかも蓋体の閉鎖膜に形成されたスリットが処置具不使用時にしっかり閉じる内視鏡の鉗子栓を、小型にコンパクトに構成することができるようにすること。【解決手段】蓋体１２に形成された閉鎖膜１７の裏側のスリット１９を囲む位置から鉗子栓本体１１の突端入口部１５内に突出する土手状部３０が形成されていて、土手状部３０の内周壁面３０ｉは、スリット１９を直径位置においた円形状に形成され、土手状部３０の外周壁面３０ｏは、スリット１９の長手方向を短軸とする略長円形状に形成されている。【選択図】      図１
2008148734.tif 000002
【特許請求の範囲】
【請求項１】
基部が内視鏡の処置具挿通チャンネルの入口部分に取り付けられる鉗子栓本体と、上記鉗子栓本体の突端入口部に着脱自在に取り付けられる蓋体とが共に弾力性のある部材により形成されて、上記処置具挿通チャンネルに挿通される処置具により押し開かれるスリットが形成された閉鎖膜が上記蓋体に形成された内視鏡の鉗子栓において、
上記閉鎖膜の裏側の上記スリットを囲む位置から上記鉗子栓本体の突端入口部内に突出する土手状部が形成されていて、上記土手状部の内周壁面は、上記スリットを直径位置においた円形状に形成され、上記土手状部の外周壁面は、上記スリットの長手方向を短軸とする略長円形状に形成されていることを特徴とする内視鏡の鉗子栓。
【請求項２】
上記鉗子栓本体の突端入口部の内周壁面が円形に形成されていて、上記蓋体が上記鉗子栓本体に取り付けられると、上記蓋体の土手状部の外周壁面がその略長円形状の長軸方向においては上記鉗子栓本体の突端入口部内にきつく圧入され、短軸方向ではゆるく嵌め込まれた状態になる請求項１記載の内視鏡の鉗子栓。
【請求項３】
上記鉗子栓本体の突端入口部内に上記蓋体の土手状部の先端が当接する段部が形成されていて、上記蓋体が上記鉗子栓本体に取り付けられた状態では、上記土手状部の先端が上記段部に押し付けられた状態になる請求項１又は２記載の内視鏡の鉗子栓。
【発明の詳細な説明】
【技術分野】
【０００１】
この発明は、内視鏡の処置具挿通チャンネルを通じて体内汚液等が内視鏡外に噴出しないように処置具挿通チャンネルの入口部分を弾力的にシールするための内視鏡の鉗子栓に関する。
【背景技術】
【０００２】
内視鏡の鉗子栓は一般に、基部が内視鏡の処置具挿通チャンネルの入口部分に取り付けられる鉗子栓本体と、鉗子栓本体の突端入口部に着脱自在に取り付けられる蓋体とが共に弾力性のある部材により形成されて、処置具挿通チャンネルに挿通される処置具により押し開かれるスリットが形成された閉鎖膜が蓋体に形成されている。
【０００３】
しかし、処置具がスリットに押し込まれる度に弾性変形して裏側に膨らむ動作が繰り返されると、使用を重ねていくうちにスリットの端部から外方に亀裂が発生して鉗子栓の気密性が低下してしまう場合がある。
【０００４】
そこで従来は、閉鎖膜の裏側から鉗子栓本体の突端入口部内に突出する土手状部が、スリットの延長位置に突出形成され、スリットから伸びる亀裂が閉鎖膜に発生しても土手状部でくい止められて、亀裂がそれ以上広がらないようにしている。具体的には、土手状部がスリットの延長位置のみに形成されたり、スリットの長手方向を長軸とする長円形状に形成されている（例えば、特許文献１）。
【特許文献１】特開２００５−８０８６７
【発明の開示】
【発明が解決しようとする課題】
【０００５】
蓋体の閉鎖膜に形成されているスリットは、処置具が通されない状態では、体内汚液等が噴出しないようにできるだけきつく閉じた状態になっている必要があり、鉗子栓本体側からスリットを締め付ける力が付与されるように構成することが望ましい。
【０００６】
そこで、特許文献１に記載された発明等のような従来の内視鏡の鉗子栓においては、鉗子栓本体側からスリットを締め付ける力を受ける締め付け部を蓋体に設けていたが、そのような締め付け部とスリットの亀裂を防ぐための土手状部とが各々独立して設けられていたので、鉗子栓が大きくなってしまう欠点があった。
【０００７】
本発明は、処置具の挿脱が繰り返されてもスリットから発生する亀裂が広がらず、しかも蓋体の閉鎖膜に形成されたスリットが処置具不使用時にしっかり閉じる内視鏡の鉗子栓を、小型にコンパクトに構成することができるようにすることを目的とする。
【課題を解決するための手段】
【０００８】
上記の目的を達成するため、本発明の内視鏡の鉗子栓は、基部が内視鏡の処置具挿通チャンネルの入口部分に取り付けられる鉗子栓本体と、鉗子栓本体の突端入口部に着脱自在に取り付けられる蓋体とが共に弾力性のある部材により形成されて、処置具挿通チャンネルに挿通される処置具により押し開かれるスリットが形成された閉鎖膜が蓋体に形成された内視鏡の鉗子栓において、閉鎖膜の裏側のスリットを囲む位置から鉗子栓本体の突端入口部内に突出する土手状部が形成されていて、土手状部の内周壁面は、スリットを直径位置においた円形状に形成され、土手状部の外周壁面は、スリットの長手方向を短軸とする略長円形状に形成されているものである。
【０００９】
なお、鉗子栓本体の突端入口部の内周壁面が円形に形成されていて、蓋体が鉗子栓本体に取り付けられると、蓋体の土手状部の外周壁面がその略長円形状の長軸方向においては鉗子栓本体の突端入口部内にきつく圧入され、短軸方向ではゆるく嵌め込まれた状態になるようにするとよい。
【００１０】
また、鉗子栓本体の突端入口部内に蓋体の土手状部の先端が当接する段部が形成されていて、蓋体が鉗子栓本体に取り付けられた状態では、土手状部の先端が段部に押し付けられた状態になるようにしてもよい。
【発明の効果】
【００１１】
本発明によれば、閉鎖膜の裏側のスリットを囲む位置から鉗子栓本体の突端入口部内に突出する土手状部が形成されていて、土手状部の内周壁面は、スリットを直径位置においた円形状に形成され、土手状部の外周壁面は、スリットの長手方向を短軸とする略長円形状に形成されていることにより、処置具の挿脱が繰り返されてもスリットから発生する亀裂が広がらず、しかも蓋体の閉鎖膜に形成されたスリットが処置具不使用時にしっかり閉じる内視鏡の鉗子栓を、小型にコンパクトに構成することができる。
【発明を実施するための最良の形態】
【００１２】
基部が内視鏡の処置具挿通チャンネルの入口部分に取り付けられる鉗子栓本体と、鉗子栓本体の突端入口部に着脱自在に取り付けられる蓋体とが共に弾力性のある部材により形成されて、処置具挿通チャンネルに挿通される処置具により押し開かれるスリットが形成された閉鎖膜が蓋体に形成された内視鏡の鉗子栓において、閉鎖膜の裏側のスリットを囲む位置から鉗子栓本体の突端入口部内に突出する土手状部が形成されていて、土手状部の内周壁面は、スリットを直径位置においた円形状に形成され、土手状部の外周壁面は、スリットの長手方向を短軸とする略長円形状に形成されている。
【実施例】
【００１３】
以下、図面を参照して本発明の実施例を説明する。
図８において、１は、可撓性を有する内視鏡の挿入部、２は、挿入部１の基端に連結された操作部である。
【００１４】
挿入部１内には、図示されていない処置具を挿通するための処置具挿通チャンネル３が全長にわたって挿通配置されていて、操作部２の下端部に配置された処置具挿通チャンネル３の入口開口部には、処置具挿通チャンネル３を通って逆流する体内汚液等が外方に吹き出さないようにするための鉗子栓１０の鉗子栓本体１１が着脱自在に取り付けられている。１２と１４は、後述する蓋体と連結帯状部材である。
【００１５】
図３と図４は、鉗子栓１０の９０°異なる方向の断面における縦断面図、図５は斜視図である。鉗子栓１０は、図示されていない処置具挿通チャンネル３の入口口金に着脱自在に取り付けられる略円筒状に形成された鉗子栓本体１１と、鉗子栓本体１１の上端の突端入口部１５側から鉗子栓本体１１に対し被さった状態に着脱自在に取り付けられる略キャップ状の蓋体１２とを備えていて、全体が弾力性のあるゴム材等によって構成されている。
【００１６】
鉗子栓本体１１の内面の基端寄りの部分には、処置具挿通チャンネル３の入口口金に対して係脱自在な小径部１３が形成されており、小径部１３を弾性変形させて、処置具挿通チャンネル３の入口口金を締め付ける状態に取り付け及び取り外すことができる。
【００１７】
蓋体１２は、弾力性のあるゴム材により蓋体１２と一体に形成された連結帯状部材１４で鉗子栓本体１１の基部と連結されていて、図６及び図７にも示されるように、蓋体１２が鉗子栓本体１１から取り外されてもその近くにぶら下げられた状態になるようになっている。
【００１８】
図３及び図４に戻って、蓋体１２と鉗子栓本体１１には、閉鎖膜１７と補助閉鎖膜１６が形成されている。補助閉鎖膜１６には、処置具挿通チャンネル３に挿通される処置具により押し開かれる小孔１８が形成され、閉鎖膜１７には、処置具挿通チャンネル３に挿通される処置具により押し開かれるスリット１９が形成されている。
【００１９】
したがって、蓋体１２が鉗子栓本体１１に取り付けられて処置具が使用されない状態では、閉鎖膜１７に形成されたスリット１９と補助閉鎖膜１６に形成された小孔１８とにより、処置具挿通チャンネル内から体内汚液等が噴出しないように封止される。
【００２０】
鉗子栓本体１１の基端寄りの位置の外周部には、円周溝２１が全周にわたって外周面から凹んだ状態に形成されている。そして、鉗子栓本体１１の外周を囲む状態に、蓋体１２側に環状壁２２が形成され、円周溝２１に対して全周にわたり係合させることができる環状の内方突起２３が環状壁２２の先端部分の内周部の全周から内方に向けて突出形成されている。
【００２１】
内方突起２３は、環状壁２２を弾性変形させて円周溝２１に係脱させることができ、蓋体１２が鉗子栓本体１１から外れるのを防止するための抜け止め係合部が、円周溝２１と内方突起２３とで構成されている。
【００２２】
鉗子栓本体１１の外周部の中間部分には、上端部より径の大きな大径部２６が形成され、その大径部２６の基部側に隣接して円周溝２１が全周にわたって凹んで形成されている。
【００２３】
また、大径部２６の外周部には、蓋体１２の内方突起２３部分が弾性変形してスライドする際に鉗子栓本体１１の外周部と蓋体１２の環状壁２２とで囲まれた空間を外部と連通させる通気溝２７が形成されている。
【００２４】
蓋体１２には、図３、図４及び図１に示されるように、閉鎖膜１７の裏側のスリット１９を囲む位置から鉗子栓本体１１の突端入口部１５内に突出する土手状部３０が形成されている。したがって、処置具の挿脱が繰り返されてスリット１９の端部から外方に伸びる亀裂が閉鎖膜１７に発生しても、その亀裂は土手状部３０でくい止められてそれ以上に広がらない。
【００２５】
土手状部３０を輪切りにした断面図である図２に示されるように、土手状部３０の内周壁面３０ｉは、スリット１９を直径位置においた円形状に形成され、土手状部３０の外周壁面３０ｏは、スリット１９の長手方向を短軸とする略長円形状に形成されている。「略長円形状」は、小判形や楕円形等も含む慨念である。なお、前出の図３は図２におけるIII−III断面を示し、図４はIV−IV断面を示している。
【００２６】
そして、前出の図３及び図４に示されるように、鉗子栓本体１１の突端入口部１５内には土手状部３０の先端が当接する段部３１が形成されていて、蓋体１２が鉗子栓本体１１に取り付けられた状態では、土手状部３０の先端が段部３１に押し付けられた状態になる。
【００２７】
また、その時に土手状部３０を囲んで位置する突端入口部１５の内周壁面が円形に形成されているので、蓋体１２が鉗子栓本体１１に取り付けられると、蓋体１２の土手状部３０の外周壁面３０ｏが、略長円形状の長軸方向においては図４に示されるように鉗子栓本体１１の突端入口部１５内にきつく圧入され、短軸方向では図３に示されるようにゆるく嵌め込まれた状態になる。
【００２８】
したがって、土手状部３０が突端入口部１５に嵌め込まれることにより、スリット１９を閉じる方向に締め付ける力が突端入口部１５の内周壁面から土手状部３０に対して作用し、処置具の不使用時等であってもスリット１９がしっかりとよく閉じて汚液等が漏れ出さない。
【００２９】
このように、本発明においては、一つの土手状部３０が、スリット１９からの亀裂の広がり防止とスリット１９の閉じ力増大の両方の機能を発揮し、鉗子栓１０を小型でコンパクに構成することができる。
【図面の簡単な説明】
【００３０】
【図１】本発明の実施例の内視鏡の鉗子栓の蓋体の一部を切断して示す斜視図である。
【図２】本発明の実施例の内視鏡の鉗子栓の土手状部を輪切りにした状態の断面図である。
【図３】本発明の実施例の内視鏡の鉗子栓のスリットを含む面（図２におけるIII−III断面）での縦断面図である。
【図４】本発明の実施例の内視鏡の鉗子栓のスリットと直交する面（図２におけるIV−IV断面）での縦断面図である。
【図５】本発明の実施例の内視鏡の鉗子栓の外観斜視図である。
【図６】本発明の実施例の内視鏡の鉗子栓の蓋体が鉗子栓本体から取り外された状態の縦断面図である。
【図７】本発明の実施例の内視鏡の鉗子栓の蓋体が鉗子栓本体から取り外された状態の外観斜視図である。
【図８】本発明の実施例の内視鏡の全体構成を示す側面図である。
【符号の説明】
【００３１】
３  処置具挿通チャンネル
１０  鉗子栓
１１  鉗子栓本体
１２  蓋体
１５  突端入口部
１７  閉鎖膜
１９  スリット
３０  土手状部
３０ｉ  内周壁面
３０ｏ  外周壁面
３１    段部
【図１】
2008148734.tif 000003
【図２】
2008148734.tif 000004
【図３】
2008148734.tif 000005
【図４】
2008148734.tif 000006
【図５】
2008148734.tif 000007
【図６】
2008148734.tif 000008
【図７】
2008148734.tif 000009
【図８】
2008148734.tif 000010